(57)【要約】【課題】セパレートエアコンの室外機を取り付ける室外機用取付金具を簡単、かつ水平に壁面へ取り付けられるようにする。【解決手段】室外機用取付金具の壁面用取付孔３の設けられた横フレーム１に気泡管６を取り付ける。こうすることで、取付金具を壁面に取り付ける際に気泡管６を参照すれば、水平をとって取り付けることができるので、室外機用取付金具を簡単、かつ水平に壁面へ取り付けられる。【選択図】  図４
2004212003.tif 000002
【特許請求の範囲】
【請求項１】
セパレートエアコンの室外機を壁面に取り付ける室外機用取付金具に、気泡管あるいは水準器を設けた室外機用取付金具。
【請求項２】
上記室外機用取付金具が、壁面用取付孔の設けられた横フレームと、室外機を載置する一対のＬ型フレームとからなり、
前記横フレームに気泡管あるいは水準器が設けられるとともに、
前記Ｌ型フレームが、固定用のボルトを仮止め状態として二つに折り曲げられ、前記横フレームに重ね合わせてボルトでもって仮止め状態にして出荷するようにした室外機用取付金具。
【発明の詳細な説明】
【０００１】
【発明の属する利用分野】
この発明は、セパレート式の冷房あるいは冷暖房エアコン（エアコンディショナー）の室外機用取付金具に関するものである。
【０００２】
【従来の技術】
セパレート式の冷房あるいは冷暖房エアコン（エアコンディショナー）の室外機用取付金具として、例えば図６に示すような壁面取り付けタイプのものがある。
【０００３】
このタイプのものは、概ね、壁面用取付孔の設けられた横フレーム１と、室外機Ａを載置する一対のＬ型フレーム２ａ、２ｂとで構成されており、Ｌ型フレーム２ａ、２ｂを取り付けた横フレーム１を壁面Ｗなどにアンカーボルトで取り付ける。そうしておいて、Ｌ型フレーム２ａ、２ｂに室外機Ａを載置してボルトで止める。
【０００４】
【発明が解決しようとする課題】
しかしながら、上記のような取付金具では、壁面に横フレームをアンカーボルトで取り付ける際に、目測で行っているうえに、スチール製の取付金具が重いため、中々上手く水平に取り付けることが難しかった。
【０００５】
すなわち、横フレームは、壁面に水平に取り付けないと室外機が水平に保たれないので、例えば除霜水がパンの排水孔から排水されずに溢れてしまって支障をきたしたり、見た目も悪い。また、特定のアンカーボルトに荷重が偏ってしまって、強度的に弱くなるなどの問題が生じる。
【０００６】
そこで、この発明の課題は、取付金具を簡単に水平に取り付けられるようにすることである。
【０００７】
【課題を解決するための手段】
上記の課題を解決するため、この発明では、セパレートエアコンの室外機を壁面に取り付ける室外機用取付金具に、気泡管あるいは水準器を設けた構成を採用したのである。
【０００８】
このような構成を採用することにより、取付金具を壁面に取り付ける際に、取付金具に設けた気泡管あるいは水準器を参照して水平をとって取り付ける。
【０００９】
このとき、上記室外機用取付金具が、壁面用取付孔の設けられた横フレームと、室外機を載置する一対のＬ型フレームとからなり、前記横フレームに気泡管あるいは水準器が設けられるとともに、前記Ｌ型フレームが、固定用のボルトを仮止め状態として二つに折り曲げられ、前記横フレームに重ね合わせてボルトでもって仮止め状態にして出荷するようにした構成を採用することができる。
【００１０】
このような構成を採用することにより、取付金具は、Ｌ型フレームを横フレームに重ね合わせてボルトでもって仮止め状態にして出荷するので、出荷パーツが一つで済み、搬送も容易なので、出荷コストの低減も図れる。
また、仮止めされた取付金具は、所定の形に整えて、横フレームを壁面に取り付ける。このとき、Ｌ型フレームは仮止め状態なので、所定の形にするのも容易に、しかも素早くできる。また、横フレームを壁面に取り付ける際には、横フレームに設けた気泡管あるいは水準器を参照すれば、水平の基準がわかるので、水平の取り付けが簡単にできる。
【００１１】
【発明の実施の形態】
以下、この発明の実施の形態を図面に基づいて説明する。
この形態の室外機用取付金具は、図１及び図２に示すように、壁面用取付孔３の設けられた横フレーム１と、室外機Ａを載置する一対のＬ型フレーム２ａ、２ｂとで構成されている。
【００１２】
図２に示すように、横フレーム１は、コの字型断面の両側を外側に折り曲げて壁面Ｗとの当接面４を形成したもので、その当接面４に壁面用取付孔３を設けている。
【００１３】
また、この横フレーム１の中央部分の突設部５に、気泡管６を設けている。気泡管６は、透明なガラスあるいは樹脂製の管にアルコールと小気泡を封入し、封入した気泡が管の中央にきたとき水平を呈示するようにしたもので、ここでは、気泡管は図２のように、横フレーム１の突設部分５の真ん中に窓を設けてネジ止めしている。なお、この形態では、気泡管６を用いたが、これに限定されるものではなく、水準器のようなものを使用するようにしてもよい。
【００１４】
この気泡管６の両側には、図に示すように長孔７を設けている。この長孔７は、Ｌ型フレーム２ａ、２ｂを取り付けるためのもので、横フレーム１の長さ方向に沿って形成している。
【００１５】
Ｌ型フレーム２ａ、２ｂは、この形態の場合、アーム部１０と台座部１１とで構成されている。アーム部１０は、コの字型断面の両側を外側に折り曲げて突設部分１２を横フレーム１に重ねられる大きさに形成したもので、アーム部１０の一方の端部には、横フレーム１との取り付け孔１３を設けるとともに、その取り付け孔１３を設けた端部の両サイドに横フレーム１の突設部５が嵌まる大きさに形成した切欠１４を設けている。
一方、アーム部１０の他方の端部の両サイドには、台座部１１を取り付けるための貫通孔１５とストッパー１６とを設けている。
【００１６】
台座部１１は、室外機Ａを載置する台部２０と、台部２０の両サイドの三角形状に形成された係止部２１とで構成し、Ｌ型フレーム２ａ、２ｂの突設部分１２に嵌合できる大きさに形成している。
【００１７】
前記台部２０には、固定用の孔２２を設けている。この固定用の孔２２は、図のように、長孔の一端を大きくして丸孔としたもので、丸孔にボルトのヘッドを挿通して長孔部分へ移動させると長孔にボルトのヘッドが係合して抜け止めとなるようにしてある。
【００１８】
両サイドの係止部２１は、貫通孔２３と回り止め２４及び嵌合溝２５とで構成されている。
【００１９】
貫通孔２３は、アーム部１０への取り付け用のもので、この貫通孔２３をアーム部１０の貫通孔１５に重ね合わせ、ボルトを挿通してナットでもって止める。
【００２０】
回り止め２４は、図のように、係止部２１の端部に外向きに折り曲げた切片２６を設けたもので、この切片２６がアーム部１０の両側の折り曲げ部分２７に当接し、台座部１１が回り過ぎないようにして、室外機Ａを保持できるようにしている。
【００２１】
嵌合溝２５は、アーム部１０と台座部１１を連結してＬ型になったときに、アーム部１０のストッパー１６を嵌入させるためのもので、ストッパー１６が嵌入することにより、台座部１１を固定できるようになっている。
【００２２】
この形態は、上記のように構成されており、Ｌ型フレーム２ａ、２ｂのボルトを仮止め状態として二つに折り曲げ、前記横フレーム１に重ね合わせてボルトでもって仮止め状態にして出荷することができる。
【００２３】
すなわち、Ｌ型フレーム２ａ、２ｂは、アーム部１０と台座部１１とを両者の貫通孔１５、２３を合わせてボルトとナットとで仮止めする。仮止めしたアーム部１０と台座部１１とを折り曲げて横フレーム１に重ね、アーム部１０の取り付け孔１３と横フレーム１の長孔７とを合わせて、図２のようにヘッドを４角形の回り止めとしたボルトを挿通してナットで仮止め状態とする。
【００２４】
このように仮止めした状態で出荷すると、組立に必要なボルトやナットも一緒に一つのパーツとして搬送できるので、搬送コストが低減できる。また、半組立状態で出荷するので、部品の欠品なども生じ難く、組立も簡単にできる。
【００２５】
このように仮止めした状態で出荷された取付金具は、施工現場で、ナットを緩めてＬ型フレーム２ａ、２ｂを９０°回転させ、例えば図３のように、アーム部１０の切欠１４を横フレーム１の突設部５に嵌め、ボルトを軽く締めて止めておく。そして、予定の取り付け箇所に、アンカーボルト３０を１本打ち込んで、打ち込んだアンカーボルト３０に、横フレーム１の一方の壁面用取付孔３を挿入する。そうしておいて、図４（ａ）に示すように、横フレーム１の他方を、気泡管６を参照しつつ、持ち上げたり下げたりしながら気泡が中央にくる位置を見つける。その見つけた位置に、アンカーボルト３０を打ち込んで、図４（ｂ）のように、横フレーム１の他方の壁面用取付孔３を挿入し、両ボルト３０をナットで止める。これで、水平に取り付けることができたので、台座部１１を開くと回り止め２４が当接し、嵌合溝２５にストッパー１６が嵌まるので、ボルトを締めて形を整える。次に、Ｌ型フレーム２ａ、２ｂの位置を室外機Ａの大きさに合わせて左右に調整し、ナットを締めて固定する。台座部１１もナットを締めて固定すれば、図４（ｃ）のように、壁面Ｗへの取り付けが完了する。その状態を図５に示す。
【００２６】
このように、取り付けの際に気泡管６を見れば傾きの状態がわかるので、簡単に水平に取り付けることができる。また、確実に水平に取り付けることができるので、室外機を水平に保つことができ、排水溢れなども生じないようにできる。また、見た目もよく、荷重が偏ってしまって、強度的に弱くなるなどの問題を生じない。
【００２７】
なお、実施形態では、横フレームとＬ型フレームとで構成される取付金具について述べたが、この形のものに限定されるものではない。また、気泡管も横フレームだけに設けることに限定されるものではない。
【００２８】
【発明の効果】
この発明は、以上のように構成したことにより、取付金具を簡単に水平に取り付けられる。
【００２９】
このため、確実に水平に取り付けることができるので、室外機を水平に保つことができ、排水溢れも生じない。また、見た目もよく、荷重が偏ってしまって、強度的に弱くなるなどの問題を生じない。
【図面の簡単な説明】
【図１】実施形態の仮止め時の斜視図
【図２】図１の分解斜視図
【図３】実施形態の作用説明図
【図４】（ａ）〜（ｃ）実施形態の作用説明図
【図５】実施形態の作用説明図
【図６】従来例の斜視図
【符号の説明】
１  横フレーム
２ａ  Ｌ型フレーム
２ｂ  Ｌ型フレーム
３  壁面用取付孔
６  気泡管
１０  アーム部
１１  台座部
Ａ  室外機
Ｗ  壁
【図１】
2004212003.tif 000003
【図２】
2004212003.tif 000004
【図３】
2004212003.tif 000005
【図４】
2004212003.tif 000006
【図５】
2004212003.tif 000007
【図６】
2004212003.tif 000008